(57)【要約】【課題】線材を構成要素として有する構造物に安定的に取り付け可能なポケットを得る。【解決手段】本発明に係るポケット１は、有底枠体からなる本体部２１と、本体部２１の背面側における上部の両側から、本体部２１の背面との間に水切り籠３の上枠線部７が挿入可能な隙間Ｓをあけて下方に延出してなる引掛け部２７と、引掛け部２７の間に設けられて、本体部２１の背面から隙間Ｓに挿入される上枠線部７の下面に向かって延出してなり、引掛け部２７と協働してポケット１が左右に傾動するのを規制する傾動規制片２９とを有することを特徴とするものである。【選択図】  図１
2014104098.tif 000002
【特許請求の範囲】
【請求項１】
線材を構成要素として有する構造物に取り付け可能なポケットであって、
前記ポケットは、有底枠体からなる本体部と、該本体部の背面側における上部の両側から前記線材が挿入可能な隙間をあけて下方に延出してなる引掛け部と、前記引掛け部の間に設けられて、前記本体部の背面から前記隙間に挿入される線材の下面に向かって延出してなり、前記引掛け部と協働して前記ポケットが左右に傾動するのを規制する傾動規制片とを有することを特徴とするポケット。
【請求項２】
前記構造物は、縦方向に延びる複数の線材を所定間隔離して構成される部位を有し、
前記引掛け部は下端側で連結されており、この連結されている部位の横幅は前記縦方向に延びる線材の間隔よりも広く設定されていることを特徴とする請求項１に記載のポケット。
【請求項３】
線材を構成要素として有する構造物に取り付け可能なポケットであって、
前記ポケットは、有底枠体からなる本体部と、該本体部の背面側における上部から、前記本体部の背面との間に前記線材が挿入可能な隙間をあけて下方に延出してなる引掛け部と、前記引掛け部の両側に設けられて、前記本体部の背面から前記隙間に挿入される線材の下面に向かって延出してなり、前記引掛け部と協働して前記ポケットが左右に傾動するのを規制する傾動規制片とを有することを特徴とするポケット。
【請求項４】
前記構造物は、縦方向に延びる複数の線材を所定間隔離して構成される部位を有し、
前記引掛け部の横幅は、前記縦方向に延びる線材の間隔よりも広く設定されていることを特徴とする請求項３に記載のポケット。
【請求項５】
前記傾動規制片の延出長さは、前記傾動規制片の先端部が前記隙間に挿入される線材と当接する長さに設定されていることを特徴とする請求項１乃至４のいずれか一項に記載のポケット。
【請求項６】
前記傾動規制片は、前記本体部の背面側から前記本体部の後方に向けて傾斜して前記線材が前記隙間に挿入される際のガイドとして機能することを特徴とする請求項１乃至５のいずれか一項に記載のポケット。
【請求項７】
前記構造物は、横方向に延びる複数の線材を所定間隔離して構成される部位を有し、
前記引掛け部の長さは、前記横方向に延びる線材の間隔よりも長く設定されていることを特徴とする請求項１乃至６のいずれか一項に記載のポケット。
【請求項８】
前記構造物は底部を有し、該底部は、所定間隔で配置された複数の線材で構成されてなり、
前記ポケットの前記本体部は前壁から側壁に亘る開口を有しており、前記ポケットの前記前壁を下に向けて前記構造物の底部に置いたときに、前記開口内に前記構造物の前記底部の線材が挿入されるように設定されていることを特徴とする請求項１乃至７のいずれか一項に記載のポケット。
【請求項９】
前記本体部の前記開口は複数設けられており、該複数の開口の間隔が、前記構造物の前記底部の線材が挿入可能な間隔に設定されていることを特徴とする請求項８に記載のポケット。
【請求項１０】
前記構造物が、食器類を収納する水切り籠、ペット用サークル、皿立て、ハンガーのいずれかであることを特徴とする請求項１乃至９のいずれか一項に記載のポケット。
【発明の詳細な説明】
【技術分野】
【０００１】
本発明は、線材を構成要素として有する構造物、例えば水切り籠、ペット用サークル等に取り付けられ、内部に種々の用品、例えば箸やスプーン、ペット用おやつ等などを収納できるポケットに関する。
【背景技術】
【０００２】
線材を構成要素として有する構造物、例えば水切り籠に取り付けられるポケットとしては、水切り籠の縁にポケットを引っ掛けて取り付けるものがある。このようなものの場合、水切り籠に取り付けられた状態で箸などが収納されると、ポケットがバランスを崩して傾いて倒れてしまうことがある。
このような転倒を防止するものとして、例えば、特許文献１に開示されるように、水切り籠の縁に鍔部を設けて、該鍔部に引掛け片によって引っ掛けて取り付けるようにしたものがある。
【０００３】
特許文献１のポケット（特許文献１中は「はし立具」）は、鍔部が逆Ｕ字状になっており、引掛け片が逆Ｌ字状になっているため、ポケットのバランスが崩れた場合にも水切り籠の縁（鍔部）を軸にポケットが回動しないようになっている。
また、特許文献１のポケットの背面には、水切り籠の側面を構成する縦方向の線材に当接させるリブが設けられているため、箸等が片寄って入れられてポケットのバランスが崩れても、ポケットが左右に傾いて倒れないようになっている。
【先行技術文献】
【特許文献】
【０００４】
【特許文献１】実公平６−５１号公報
【発明の概要】
【発明が解決しようとする課題】
【０００５】
しかし、特許文献１のポケットは、水切り籠の縁に鍔部が設けられていることが前提であり、縁が線材のものには適用できない。
また、特許文献１のポケットは、左右の傾きを防止するためにリブを設けたり、ポケットの背面側にポケットの取り付け位置を規制するための突出部を設けたりする必要があり、製造コストがかかるという問題がある。また、ポケットのリブの位置が水切り籠の線材に当接するようにポケットを設置する必要があり、ポケットの設置位置が限定されるという問題もある。
【０００６】
また、水切り籠とポケットは通常セットで販売される。そこで一般的には、水切り籠の中にポケットを収めて、その水切り籠を複数個積み重ねた状態にして搬送される。しかし、上記のように重ねると、水切り籠だけを重ねた場合と比較して、ポケットの高さの分だけ積み重ねの高さが増す。それ故、搬送コストが増加するという問題がある。また、在庫として倉庫に保管する際にも嵩張って倉庫の場所をとるため、在庫コストがかかるという問題がある。そして、上記のような嵩張りを解決するポケットを開示した文献は見当たらない。
【０００７】
上記のような課題は、水切り籠に限らず、線材を構成要素として有する他の構造物、例えばペット用サークル等についても同様に存在する。
【０００８】
本発明は、上記のような課題を解決するためになされたものであり、線材を構成要素とする他の構造物に安定的に取り付け可能なポケットを得ることを目的とする。
また、構造物の内部にポケットを収納したときに嵩張らないポケットを得ることを目的としている。
【課題を解決するための手段】
【０００９】
（１）本発明に係るポケットは、線材を構成要素として有する構造物に取り付け可能なポケットであって、
前記ポケットは、有底枠体からなる本体部と、該本体部の背面側における上部の両側から、前記本体部の背面との間に前記線材が挿入可能な隙間をあけて下方に延出してなる引掛け部と、前記引掛け部の間に設けられて、前記本体部の背面から前記隙間に挿入される線材の下面に向かって延出してなり、前記引掛け部と協働して前記ポケットが左右に傾動するのを規制する傾動規制片とを有することを特徴とするものである。
【００１０】
（２）また、上記（１）に記載のものにおいて、前記構造物は、縦方向に延びる複数の線材を所定間隔離して構成される部位を有し、
前記引掛け部は下端側で連結されており、この連結されている部位の横幅は前記縦方向に延びる線材の間隔よりも広く設定されていることを特徴とするものである。
【００１１】
（３）また、線材を構成要素として有する構造物に取り付け可能なポケットであって、
前記ポケットは、有底枠体からなる本体部と、該本体部の背面側における上部から、前記本体部の背面との間に前記線材が挿入可能な隙間をあけて下方に延出してなる引掛け部と、前記引掛け部の両側に設けられて、前記本体部の背面から前記隙間に挿入される線材の下面に向かって延出してなり、前記引掛け部と協働して前記ポケットが左右に傾動するのを規制する傾動規制片とを有することを特徴とするものである。
【００１２】
（４）また、上記（３）に記載のものにおいて、前記構造物は、縦方向に延びる複数の線材を所定間隔離して構成される部位を有し、
前記引掛け部の横幅は、前記縦方向に延びる線材の間隔よりも広く設定されていることを特徴とするものである。
【００１３】
（５）また、上記（１）乃至（４）のいずれかに記載のものにおいて、前記傾動規制片の延出長さは、前記傾動規制片の先端部が前記隙間に挿入される線材と当接する長さに設定されていることを特徴とするものである。
【００１４】
（６）また、上記（１）乃至（５）のいずれかに記載のものにおいて、前記傾動規制片は、前記本体部の背面側から前記本体部の後方に向けて傾斜して前記線材が前記隙間に挿入される際のガイドとして機能することを特徴とするものである。
【００１５】
（７）また、上記（１）乃至（６）のいずれかに記載のものにおいて、前記構造物は、横方向に延びる複数の線材を所定間隔離して構成される部位を有し、
前記引掛け部の縦の長さは、前記横方向に延びる線材の間隔よりも長く設定されていることを特徴とするものである。
【００１６】
（８）また、上記（１）乃至（７）のいずれかに記載のものにおいて、前記構造物は底部を有し、該底部は、所定間隔で配置された複数の線材で構成されてなり、
前記ポケットの前記本体部は前壁から側壁に亘る開口を有しており、前記ポケットの前記前壁を下に向けて前記構造物の前記底部に置いたときに、前記開口内に前記構造物の前記底部の線材が挿入されるように設定されていることを特徴とするものである。
【００１７】
（９）また、上記（８）に記載のものにおいて、前記本体部の前記開口は複数設けられており、該複数の開口の間隔が、前記構造物の前記底部の線材が挿入可能な間隔に設定されていることを特徴とするものである。
【００１８】
（１０）また、上記（１）乃至（９）のいずれかに記載のものにおいて、前記構造物が、食器類を収納する水切り籠、ペット用サークル、皿立て、ハンガーのいずれかであることを特徴とするものである。
【発明の効果】
【００１９】
本発明においては、本体部の背面との間に水切り籠の線材が挿入可能な隙間をあけて下方に延出してなる引掛け部と、該引掛け部の間に設けられて、本体部の背面から隙間に挿入される線材の下面に向かって延出してなり、前記引掛け部と協働してポケットの傾動を規制する傾動規制片とを有していることにより、線材を構成要素とする構造物に安定的に取り付け可能となる。
【図面の簡単な説明】
【００２０】
【図１】本発明の一実施の形態に係るポケットを水切り籠に取り付けた状態の斜視図である（その１）。
【図２】本発明の一実施の形態に係るポケットを水切り籠に取り付けた状態の斜視図である（その２）。
【図３】本発明の一実施の形態に係るポケットを水切り籠に取り付けた状態の側面図である。
【図４】本発明の一実施の形態に係るポケットの斜視図である。
【図５】本発明の一実施の形態に係るポケットの側面図である。
【図６】本発明の一実施の形態に係るポケットを水切り籠の底部に載置した状態の斜視図である。
【図７】本発明の一実施の形態に係るポケットを水切り籠の底部に載置した状態の側面図である。
【図８】本発明の一実施の形態に係るポケットの平面図である。
【図９】本発明の一実施の形態に係るポケットの背面図である。
【図１０】本発明の一実施の形態に係るポケットを水切り籠に取り付けた状態における、ポケットの幅方向中心を通る縦断面図である。
【図１１】本発明の一実施の形態に係るポケットの六面図である。
【発明を実施するための形態】
【００２１】
以下の説明においては、本実施の形態のポケットが取り付け可能な構造物の一例として水切り籠を例に挙げて説明する。
【００２２】
＜水切り籠＞
ポケット１について説明する前に、ポケット１が取り付けられる水切り籠３について図１〜図３に基づいて説明する。なお、以下の説明において、図１の太い黒矢印で示す水切り籠３の面を正面とする。
水切り籠３は、ワイヤー等からなる線材によって構成されてなり、底部と、底部を囲んで立設する４つの側部（第１側部３ａ〜第４側部３ｄ）からなる。
【００２３】
水切り籠３は、平面視で長方形状の枠線からなる下枠線部５と、下枠線部５の上方に設けられる上枠線部７と、略門型に屈曲された線材からなり、下枠線部５の各短辺側に配置されて対向する門型線部９とを有している。
門型線部９の上辺部は、下枠線部５の短辺と平行かつ上枠線部７の上方に配置されており、該上辺部は水切り籠３を持ち運ぶ際の持ち手部３ｅになっている。
門型線部９の下端部は、底部より下方に延出して略Ｕ字状に折り返されており、底部の四隅を支える脚部３ｆになっている。そのため、水切り籠３の底部は設置面に直接当接しないようになっている。
【００２４】
上記底部と各側部（第１側部３ａ〜第４側部３ｄ）は、下枠線部５、上枠線部７および各門型線部９の間に複数の線材を所定間隔で配置して形成されている。以下に、底部と各側部（第１側部３ａ〜第４側部３ｄ）について詳細に説明する。
【００２５】
底部は、下枠線部５と、下枠線部５の短辺と平行に下枠線部５の各長辺に亘るように架設される複数の底線材１１とで形成されている。各底線材１１は所定間隔Ｌ1で架設されている（図６参照）。
第１側部３ａは、底部（下枠線部５）の長辺側に立設する側部である。第１側部３ａは、下枠線部５と上枠線部７とに亘るように縦方向に延びる複数の縦線材１３が、所定の間隔Ｌ2で配置されて構成されている（図６参照）。縦線材１３は下枠線部５と上枠線部７とに接合されている。
【００２６】
第２側部３ｂと第３側部３ｃは底部（下枠線部５）の短辺側に立設する側部である。第２側部３ｂと第３側部３ｃは同一の形状からなるため、第２側部３ｂを例に挙げて説明する。各図においては同じ部材については同一の符号を付している。
第２側部３ｂは、図１〜図３に示すように、下枠線部５と上枠線部７との間に横方向に延びる複数の線材からなり該各線材の両端が門型線部９に接合する横線材１５と、これら横線材１５に直交する線材からなり、下枠線部５、上枠線部７および横線材１５に接合されて第２側部３ｂを補強する補強線材１７とを有している。
【００２７】
第４側部３ｄは、第１側部３ａの対面側に設けられている。第４側部３ｄには、略Ｕ字状に屈曲された線材からなり、Ｕ字の開口部を上側に向けて設けられて、コップやペットボトル等の筒状容器が挿入されて該筒状容器を逆さ向きに立てた状態で保持する立て掛けるための容器立３ｇが設けられている。
【００２８】
＜ポケット＞
次に本発明の実施の形態に係るポケット１について図１〜図１０に基づいて説明する。
ポケット１は、有底枠体からなり、内部に箸やスプーン等が収納されて水切りを行う本体部２１と、本体部２１の背面側における上部の両側から、本体部２１の背面との間に水切り籠３の上枠線部７が挿入可能な隙間Ｓができるように下方に延出してなる引掛け部２７と、引掛け部２７の間に設けられて、本体部２１の背面から隙間Ｓに挿入される上枠線部７の下面に向かって延出してなり、引掛け部２７と協働してポケット１の傾動を規制する傾動規制片２９とを有している（主に図４参照）。図１〜図３にポケット１が水切り籠３に取り付けられている状態を示す。
以下、各構成を詳細に説明する。
【００２９】
≪本体部≫
本体部２１は、図４および図５に示すように、本体部２１の前壁から側壁に亘る複数の開口２１ａを有しており、これらの開口２１ａの間隔は、本体部２１の前壁を下に向けて水切り籠３の底部に置いたときに、開口２１ａ内に底部の底線材１１が挿入されるように設定されている。例えば、ポケット１の開口２１ａのピッチは、底線材１１の間隔Ｌ1と同一に設定されている。
【００３０】
また上述したように、水切り籠３の底部は、脚部３ｆによって設置面に直接当接しないようになっている。
以上のような構成のため、図６および図７に示すように、本体部２１の前壁を下に向けてポケット１を水切り籠３の底部に載置すると、ポケット１の前壁と側壁の一部が水切り籠３の底部に入り込むようになっている。
それ故、上記のようにポケット１が載置された水切り籠３を複数積み重ねたとしても、ポケット１の前壁と側壁が水切り籠３の底部に入り込まないものと比較して、積み重ねの高さを低くして、全体として嵩張らないようにすることがでる。それ故、搬送コストや在庫コストを低減させることができる。
【００３１】
本体部２１の底部には、図８に示すように、水切りを行う際に水が抜けるための複数のスリット２１ｂが設けられている。
【００３２】
≪引掛け部≫
引掛け部２７は、本体部２１の背面上部の両側から水平方向に延びる一対の水平部２７ａを有し、一対の水平部２７ａに連続して下方に向かって延出する一対の延下部２７ｂと、一対の延下部２７ｂの下端側でこれらを連結する連結部２７ｃを有している（図４、図５、図８、図９参照）。
引掛け部２７が、一対の水平部２７ａを有することにより、延下部２７ｂと本体部２１の背面との間の隙間Ｓ（図５参照）が形成されている。そして、この隙間Ｓに上枠線部７が挿入され、図１０に示すように、引掛け部２７が上枠線部７に引っ掛かるようになっている。なお、図１０は、図３の丸で囲んだ部分の断面の拡大図であり、図１０において上枠線部７は断面で図示されている。
【００３３】
ポケット１が水切り籠３に取り付けられた状態において、ポケット１の本体部２１は、図３および図１０に示すように、水切り籠３における第１側部３ａの縦線材１３に沿うように傾斜している。これは、引掛け部２７がポケット１の背面側に設けられているため、ポケット１を水切り籠３に取り付けた状態では重心が前方寄りになるためである。本体部２１に箸等が収納されると、ポケット１全体の重心が移動して、本体部２１の後壁が縦線材１３に当接する。
【００３４】
連結部２７ｃの横幅は、ポケット１が設置される第１側部３ａの縦線材１３の間隔Ｌ2よりも広くなっている（図２参照）。そのため、ポケット１が上枠線部７を軸に前方向に回動しようとすると、少なくとも２本の縦線材１３に、連結部２７ｃの一部が当接する。従って、箸等を本体部２１に収納する際に箸等を投げ入れたり、あるいは、本体部２１に収納された箸等に手等が当たったりしても、バランスが崩れて上枠線部７を軸に回動（図３中の矢印を参照）することなく安定的に使用できる。
【００３５】
連結部２７ｃの先端部には、図１０に示すように、外方に湾曲する湾曲部２７ｄが設けられており、引掛け部２７の先端側から水切り籠３の上枠線部７を挿入する際に挿入しやすくなっている。
【００３６】
≪傾動規制片≫
傾動規制片２９は、第１側部３ａの縦線材１３の間隔Ｌ2（図２参照）より幅狭になっており、縦線材１３の間に配置可能になっている。
傾動規制片２９は、本体部２１の背面側から本体部２１の後方に向けて傾斜して延びる平板状の部材からなり、傾動規制片２９の先端は本体部２１の後方に屈曲して、水切り籠３の上枠線部７の下面側に対向する支持部２９ａが形成されている。
【００３７】
ポケット１が左右に傾動しようとすると、上枠線部７が支持部２９ａといずれか一方の引掛け部２７とに挟まれ、これによってポケット１が大きく左右に傾動するのが防止される。このように、傾動規制片２９は、引掛け部２７と協働してポケット１の左右への傾動を規制することができる。
また、傾動規制片２９は、ポケット１が上方に抜けるのを防止する機能も有している。
【００３８】
また、傾動規制片２９の背面側には、ガイドリブ２９ｂが一対設けられている。一対のガイドリブ２９ｂが設けられていることによって、上枠線部７が隙間Ｓに挿入される際に、ガイドリブ２９ｂの下面と上枠線部７とが当接して、上枠線部７を隙間Ｓにスムーズに導いて挿入させることができる（傾動規制片２９のガイド機能）。
【００３９】
なお、図１０では、上枠線部７の一例として、径が小さくて傾動規制片２９の支持部２９ａが上枠線部７と当接していないものを図示しているが、上枠線部７が図１０中に二点鎖線の丸で示すような径のものであってもポケット１は取り付け可能である。このように、支持部２９ａが上枠線部７と当接する場合、ポケット１が左右に傾くことがなく、より良好である。
さらに、図１０中に二点鎖線の丸で示すような径よりもわずかに太い上枠線部７であっても、傾動規制片２９がポケット１の後方にわずかに撓むことで、隙間Ｓに上枠線部７を挿入することができる。このとき、上枠線部７は引掛け部２７と傾動規制片２９の支持部２９ａとで挟持されて、ポケット１が水切り籠３からより外れにくくなっている。
【００４０】
なお、上記の説明は、傾動規制片２９の長さが一定で、上枠線部７の径が変わる場合について説明したが、ポケット１を取り付ける水切り籠の上枠線部の径に合わせて傾動規制片２９の延出長さを調整するようにしてもよい。
【００４１】
以上のように構成された本実施の形態に係るポケット１の使用例を、図を適宜参照しながら説明する。
ポケット１を水切り籠３に取り付ける際は、水切り籠３の上枠線部７の上方から引掛け部２７と本体部２１の背面との間の隙間Ｓに上枠線部７を挿入する。このとき、上述したとおり、傾動規制片２９のガイドリブ２９ｂが上枠線部７をガイドすることによって、上枠線部７を隙間Ｓに容易に挿入することができる。
上枠線部７が隙間Ｓに挿入されると引掛け部２７が、上枠線部７に支持されてポケット１が水切り籠３に取り付けられる。
【００４２】
ポケット１が取り付けられた状態で、箸等が本体部２１の内部に収納される。
このとき、引掛け部２７が第１側部３ａの縦線材１３の複数本に当接しているため、箸等を本体部２１に収納する際に箸等を投げ入れたり、あるいは、本体部２１に収納された箸等に手等が当たったりしても、バランスが崩れて上枠線部７を軸に前方向に回動することなく安定的に使用できる。
また、ポケット１の正面視で左右にバランスを崩しても、傾動規制片２９の支持部２９ａが上枠線部７の下面と当接する、あるいは当接しているため、ポケット１が左右方向に倒れてしまうことがない。
【００４３】
以上のように、ポケット１は、これを取り付ける部位が水切り籠３の上枠線部７のような細い線材であっても安定的に取り付けることができる。
また、ポケット１は、ポケットの背面にリブを設けてこのリブの位置を水切り籠の線材に当接させるようにした特許文献１のように、ポケットの設置位置が限定されないので、例えば複数個のポケットを水切り籠の一つの面に設置することも可能である。
【００４４】
さらに、ポケット１を水切り籠３の底部にポケット１の前壁を下に向けて載置すると、水切り籠３の底部の底線材１１が、ポケット１の前壁から側壁に亘る開口２１ａに挿入されるため、ポケット１は底線材１１がポケット１側に挿入される挿入深さ分だけ水切り籠３の底部から上方に出っ張る高さが低くなる。そのため、ポケット１を水切り籠３の底部に配置して水切り籠３を複数積み重ねたときに、積み重ねの高さを低くすることがでる。それ故、搬送コストや在庫コストを低減させることができる。
【００４５】
なお、上記の説明では、引掛け部２７の上部に一対の水平部２７ａ及び延下部２７ｂを設け、一対の水平部２７ａ及び延下部２７ｂの間に傾動規制片２９が設けられているものを説明したが、本発明の引掛け部と傾動規制片の態様はこれに限られない。
例えば、引掛け部をポケット１の本体部２１の中央に設け、この引掛け部の両側に傾動規制片を設けるようにしてもよい。このような態様であっても、引掛け部は、上記の構成と同様に水切り籠３の第１側部３ａの縦線材１３の複数本に当接するような横幅に設定することが好ましい。
また、上記の説明では、引掛け部２７が隙間Ｓを介して下方に延出するために、引掛け部２７が水平部２７ａを有する例を示したが、隙間Ｓが形成されればよく、そのためには水平部２７ａに変えて例えば傾斜部や湾曲部のような部位を設けるようにしてもよい。
【００４６】
また、上記の説明では、ポケット１は、水切り籠３の縦方向に延びる線材（縦線材１３）で構成される第１側部３ａに取り付ける例を示したが、横方向に延びる線材で構成される側部（例えば、水切り籠３の第２側部３ｂまたは第３側部３ｃ）に取り付けられるようにしてもよい。この場合、引掛け部２７の縦の長さを、側部を構成する線材の間隔よりも長く設定する。こうすることによって、引掛け部２７が複数本の線材に当接することができ、箸等をポケット１の本体部２１に収納する際に箸等を投げ入れたり、あるいは、本体部２１に収納された箸等に手等が当たったりしても、バランスが崩れて上枠線部７を軸に回動することなく安定的に使用できる。
【００４７】
また、上記の説明では、ポケット１の開口２１ａのピッチは、底線材１１の間隔Ｌ1と同一に設定されて、各開口２１ａに一本の底線材１１が挿入されている例を示したが、一つの開口２１ａを大きくして複数の底線材１１が挿入されるようにしてもよい。
【００４８】
また、上記の説明においては、本実施の形態のポケットが取り付け可能な構造物の一例として水切り籠を例に挙げて説明したが、本発明のポケットが取り付け可能なものは水切り籠に限られず、構造物の他の例としては、例えばペット用サークル、皿立て、ハンガー等が挙げられる。
なお、参考のためにポケット１の六面図を図１１に示す。
【符号の説明】
【００４９】
１  ポケット
３  水切り籠
３ａ  第１側部
３ｂ  第２側部
３ｃ  第３側部
３ｄ  第４側部
３ｅ  持ち手部
３ｆ  脚部
３ｇ  容器立
５  下枠線部
７  上枠線部
９  門型線部
１１  底線材
１３  縦線材
１５  横線材
１７  補強線材
２１  本体部
２１ａ  開口
２１ｂ  スリット
２７  引掛け部
２７ａ  水平部
２７ｂ  延下部
２７ｃ  連結部
２７ｄ  湾曲部
２９  傾動規制片
２９ａ  支持部
２９ｂ  ガイドリブ
【図１】
2014104098.tif 000003
【図２】
2014104098.tif 000004
【図３】
2014104098.tif 000005
【図４】
2014104098.tif 000006
【図５】
2014104098.tif 000007
【図６】
2014104098.tif 000008
【図７】
2014104098.tif 000009
【図８】
2014104098.tif 000010
【図９】
2014104098.tif 000011
【図１０】
2014104098.tif 000012
【図１１】
2014104098.tif 000013